(57)【要約】      （修正有）【課題】着色インク、特には水不溶性の着色剤を含有する水性インクが固化して固形物を生じたときでも、その固形物を容易に洗浄できる、クリアインクの提供。【解決手段】水、グリコールエーテル、特定構造式で表されるエステル化合物、及び特定構造式で表されるエーテル化合物を含有し、且つ、実質的に着色剤を含有しないクリアインクであって、クリアインクの総質量中における、グリコールエーテルの総含有量と、前記エステル化合物の総含有量との比が、質量基準で１０／１〜３０／１であるクリアインク。【選択図】なし【特許請求の範囲】
【請求項１】
水、グリコールエーテル、下記式（１）で表される化合物、及び下記式（２）で表される化合物を含有し、且つ、実質的に着色剤を含有しないクリアインクであって、
クリアインクの総質量中における、グリコールエーテルの総含有量と、式（１）で表される化合物の総含有量との比が、質量基準で１０／１〜３０／１であるクリアインク。
【化１】
2019196425.tif 000009
［式（１）中、Ｒ１は、ヒドロキシ基、ヒドロキシ基を有するアルコキシ基、アシロキシ基、又はアリールカルボニルオキシ基を表し、Ｒ２は水素原子又はアルキル基を表し、Ｒ３は水素原子又はアルキル基を表し、Ｒ４は水素原子、ヒドロキシ基、又はアルキル基を表し、Ｒ５はアルキル基をそれぞれ表す。］
【化２】
2019196425.tif 000010
［式（２）中、Ｒは直鎖又は分岐鎖Ｃ１−Ｃ５炭化水素基を表し、Ｌ、ｍ及びｎは（Ｌ＋ｍ）／ｎ=１．５／１〜１／１．５である。］
【請求項２】
クリアインクの総質量に対する、グリコールエーテルの総含有量が、質量基準で５％〜４０％である請求項１に記載のクリアインク。
【発明の詳細な説明】
【技術分野】
【０００１】
本発明は、実質的に着色剤を含有しないクリアインクに関する。
【背景技術】
【０００２】
カラー印刷方法の中で、インクジェットプリンタによる印刷方法（インクジェット印刷方法）は、代表的方法の１つである。この方法は、インクの小滴を発生させ、これを紙等の基材に付着させ印刷を行う方法である。近年、インクジェット印刷方法は、産業用途としての応用が進んでいる。インクジェットインクが含有する着色剤は、水溶性の着色剤と、水不溶性の着色剤とに大別される。これらのうち、顔料を代表とする水不溶性の着色剤は、水溶性の着色剤と比較して、一般に各種の堅牢性に優れる。このため、産業用のインクジェットインクは、水不溶性の着色剤を含有することが多い。
【０００３】
産業用途に用いられる基材は、各種の紙、繊維、及びフィルム等、多様化しており、インク受容層を有さない基材も多い。インク受容層を有さない基材の印刷に用いるインクとしては、溶剤インクや重合性モノマーを含有する硬化性インクが知られている。しかし、これらのインクは揮発性有機溶剤を含有すること、及び、人体等への皮膚感作性に不安が有ること等を理由とし、その用途に限りがある。このため、水不溶性の着色剤を含有する水性インクが強く要望されている。そのような水性インクで印刷をするときは、耐擦過性や耐溶剤性等の向上を目的として、一般にバインダー等のポリマーの添加が行われている。また、そのようなインクは、着色剤を均一に分散する目的で、分散剤を含有することが多い。これらの理由から、水不溶性の着色剤を含有する水性インクは固形分の含有量が多く、固化して固形物を生じたときに、その固形物を洗浄することが難しい。固形物が容易に洗浄できないときは、インクジェットヘッドのノズルが詰まり、頻繁にインクジェットヘッドの交換を行う必要が生じる。そのようなことが生じると、費用の増加に加え、生産性が落ちることから、産業用途としては、極めて深刻な問題となる。このため、洗浄効果の高いクリアインクが強く要望されている。
【０００４】
特許文献１〜３には、水性インク、又は水性インクを用いる印刷画像を生成する方法が開示されている。
【特許文献１】国際公開２００８／１０２７２２号ガゼット
【特許文献２】特開２００９−１９７１２６号
【特許文献３】特開２００６−１１６９６５号
【発明の概要】
【発明が解決しようとする課題】
【０００５】
本発明は、着色インク、特には水不溶性の着色剤を含有する水性インクが固化して固形物を生じたときでも、その固形物を容易に洗浄できる、クリアインクの提供を課題とする。
【課題を解決するための手段】
【０００６】
本発明者らは、前記したような課題を解決すべく鋭意研究を重ねた結果、少なくとも、水、グリコールエーテル、下記式（１）で表される化合物、及び下記式（２）で表される化合物を含有し、且つ、実質的に着色剤を含有しないクリアインクにより、前記の課題を解決できることを見出し、本発明を完成させた。
【０００７】
即ち、本発明は以下の１）及び２）に関する。
１）
水、グリコールエーテル、下記式（１）で表される化合物、及び下記式（２）で表される化合物を含有し、且つ、実質的に着色剤を含有しないクリアインクであって、
クリアインクの総質量中における、グリコールエーテルの総含有量と、式（１）で表される化合物の総含有量との比が、質量基準で１０／１〜３０／１であるクリアインク。
【０００８】
【化１】
2019196425.tif 000002
【０００９】
［式（１）中、Ｒ１は、ヒドロキシ基、ヒドロキシ基を有するアルコキシ基、アシロキシ基、又はアリールカルボニルオキシ基を表し、Ｒ２は水素原子又はアルキル基を表し、Ｒ３は水素原子又はアルキル基を表し、Ｒ４は水素原子、ヒドロキシ基、又はアルキル基を表し、Ｒ５はアルキル基をそれぞれ表す。］
【００１０】
【化２】
2019196425.tif 000003
【００１１】
［式（２）中、Ｒは直鎖又は分岐鎖Ｃ１−Ｃ５炭化水素基を表し、Ｌ、ｍ及びｎは（Ｌ＋ｍ）／ｎ=１．５／１〜１／１．５である。］
２）
クリアインクの総質量に対する、グリコールエーテルの総含有量が、質量基準で５％〜４０％である前記１）に記載のクリアインク。
【発明の効果】
【００１２】
本発明により、着色インク、特には水不溶性の着色剤を含有する水性インクが固化して固形物を生じたときでも、その固形物を容易に洗浄できる、クリアインクを提供できた。
【発明を実施するための形態】
【００１３】
本明細書においては、特に断りの無い限り、実施例等を含めて「％」及び「部」は、質量基準で記載する。
前記クリアインクは、プリントヘッドが着色インクで汚染されたときの洗浄液として使用できる。また、例えば、プリントヘッドを輸送するとき等に、プリントヘッドに充填する充填液としても使用できる。
【００１４】
［グリコールエーテル］
前記クリアインクは、少なくとも１種類のグリコールエーテルを含有する。また、クリアインクは、２種類以上のグリコールエーテルを含有することもできる。
グリコールエーテルとしては、下記式（３）で表される化合物が挙げられる。
【００１５】
【化３】
2019196425.tif 000004
【００１６】
前記式（３）中、ｘは２〜４の整数を表し、ｙは１〜１０の整数を表し、Ｒ６はアルキル基を表す。
ｘは通常２〜４、好ましくは２又は３、より好ましくは２である。
ｙは通常１〜１０、好ましくは１〜８、より好ましくは１〜６、さらに好ましくは２〜４、特に好ましくは２である。
Ｒ６におけるアルキル基としては、が挙げられる。
【００１７】
前記のうち、グリコールエーテルの具体例としては、例えば、エチレングリコールモノメチルエーテル、エチレングリコールモノエチルエーテル、ジエチレングリコールモノエチルエーテル、ジエチレングリコールモノブチルエーテル（ブチルカルビトール）、トリエチレングリコールモノメチルエーテル、トリエチレングリコールモノエチルエーテル、エチレングリコールモノアリルエーテル、エチレングリコールモノイソプロピルエーテル、ジエチレングリコールモノメチルエーテル、プロピレングリコールモノプロピルエーテル、トリエチレングリコールモノブチルエーテル等が挙げられる。
【００１８】
クリアインクの総質量に対する、グリコールエーテルの総含有量は通常５〜４０％、好ましくは５〜３０％である。
【００１９】
［式（１）で表される化合物］
前記式（１）中、Ｒ１におけるヒドロキシ基を有するアルコキシ基としては、通常ヒドロキシＣ１−Ｃ６アルコキシ、好ましくはヒドロキシＣ１−Ｃ４アルコキシ、より好ましくはヒドロキシＣ２−Ｃ４アルコキシの各基が挙げられる。そのアルコキシ部分としては、直鎖、分岐鎖又は環状のアルコキシが挙げられ、直鎖又は分岐鎖のものが好ましく、直鎖のものがより好ましい。その具体例としては、ヒドロキシメトキシ、２−ヒドロキシエトキシ、２−ヒドロキシ−ｎ−プロポキシ、３−ヒドロキシ−ｎ−プロポキシ、２−ヒドロキシ−ｎ−ブトキシ、３−ヒドロキシ−ｎ−ブトキシ、４−ヒドロキシ−ｎ−ブトキシ、２−ヒドロキシ−ｎ−ペントキシ、３−ヒドロキシ−ｎ−ペントキシ、４−ヒドロキシ−ｎ−ペントキシ、５−ヒドロキシ−ｎ−ペントキシ、２−ヒドロキシ−ｎ−ヘキシロキシ、３−ヒドロキシ−ｎ−ヘキシロキシ、４−ヒドロキシ−ｎ−ヘキシロキシ、５−ヒドロキシ−ｎ−ヘキシロキシ、６−ヒドロキシ−ｎ−ヘキシロキシ等の直鎖のもの；２−ヒドロキシイソプロポキシ、２−ヒドロキシイソブトキシ、３−ヒドロキシイソブトキシ、２−ヒドロキシイソペントキシ、３−ヒドロキシイソペントキシ、４−ヒドロキシイソペントキシ、２−ヒドロキシイソヘキシロキシ、３−ヒドロキシイソヘキシロキシ、４−ヒドロキシイソヘキシロキシ、５−ヒドロキシイソヘキシロキシ等の分岐鎖のもの；２−ヒドロキシシクロプロポキシ、２−ヒドロキシシクロブトキシ、３−ヒドロキシシクロブトキシ、２−ヒドロキシシクロペントキシ、３−ヒドロキシシクロペントキシ、２−ヒドロキシシクロヘキシロキシ、３−ヒドロキシシクロヘキシロキシ、４−ヒドロキシシクロヘキシロキシ等の環状のもの等が挙げられる。これらの中では２−ヒドロキシエトキシが好ましい。
【００２０】
Ｒ１におけるアシロキシ基としては、直鎖、分岐鎖又は環状の通常Ｃ１−Ｃ６アシロキシ、好ましくはＣ１−Ｃ５アシロキシ、より好ましくはＣ２−Ｃ５アシロキシの各基が挙げられる。これらの中では直鎖のものが好ましい。また、アシロキシ部分のエステルカルボニル以外に、さらに１つのカルボニル基を有するアシロキシ基が好ましい。その具体例としては、メチルカルボニルオキシ、エチルカルボニルオキシ、ｎ−プロピルカルボニルオキシ、ｎ−ブチルカルボニルオキシ、ｎ−ペンチルカルボニルオキシ等の直鎖のもの；イソプロピルカルボニルオキシ、イソブチルカルボニルオキシ、ｔ−ブチルカルボニルオキシ、イソペンチルカルボニルオキシ、１−エチルプロピルカルボニルオキシ、１，１−ジメチルプロピルカルボニルオキシ、２，２−ジメチルプロピルカルボニルオキシ等の分岐鎖のもの；シクロペンチルカルボニルオキシ、シクロブチルカルボニルオキシ、シクロペンチルカルボニルオキシ等の環状のもの；１−オキソエチルカルボニルオキシ、２−オキソプロピルカルボニルオキシ、２−オキソブチルカルボニルオキシ、３−オキソブチルカルボニルオキシ、２−オキソペンチルカルボニルオキシ、３−オキソペンチルカルボニルオキシ、４−オキソペンチルカルボニルオキシ等の、さらに１つのカルボニル基を有するもの等が挙げられる。これらの中では１−オキソエチルカルボニルオキシ、３−オキソブチルカルボニルオキシが好ましい。
【００２１】
Ｒ１におけるアリールカルボニルオキシ基としては、通常Ｃ６−Ｃ１２アリールカルボニルオキシが挙げられる。具体例としては、フェニルカルボニルオキシ、ナフチルカルボニルオキシ、ビフェニルカルボニルオキシ等が挙げられ、これらの中ではフェニルカルボニルオキシが好ましい。
【００２２】
前記のうち、Ｒ１としてはヒドロキシ基又はヒドロキシ基を有するアルコキシ基が好ましく、ヒドロキシ基がより好ましい。
【００２３】
Ｒ２乃至Ｒ５におけるアルキル基としては、通常Ｃ１−Ｃ６、好ましくはＣ１−Ｃ４の直鎖、分岐鎖又は環状のアルキル基が挙げられる。その具体例としては、例えば、メチル、エチル、ｎ−プロピル、ｎ−ブチル、ｎ−ペンチル、ｎ−ヘキシルといった直鎖のもの；イソプロピル、イソブチル、ｓｅｃ−ブチル、ｔ−ブチル、イソペンチル、ｔ−ペンチル、イソヘキシル、ｔ−ヘキシル等の分岐鎖のもの；シクロプロピル、シクロブチル、シクロペンチル、シクロヘキシル等の環状のもの等が挙げられる。
これらのうち、
Ｒ２としては直鎖又は分岐鎖のものが好ましく、分岐鎖のものがより好ましい。前記の中でもｎ−プロピル、イソプロピル、ｔ−ブチルが好ましく、イソプロピルが特に好ましい。
Ｒ３としては直鎖のものが好ましく、前記の中でもメチルが特に好ましい。
Ｒ４としては、直鎖又は分岐鎖のものが好ましく、前記の中でもｎ−プロピル、イソプロピル、ｔ−ブチルが好ましい。
Ｒ５としては、直鎖又は分岐鎖のものが好ましく、分岐鎖のものがより好ましい。前記の中でもエチル、ｎ−プロピル、イソプロピル、ｔ−ブチルが好ましく、イソプロピルが特に好ましい。
【００２４】
前記のうち、
Ｒ１としては、ヒドロキシ基又はヒドロキシ基を有するアルコキシ基が好ましく、ヒドロキシ基がより好ましい。
Ｒ２としては、アルキル基が好ましく、分岐鎖アルキル基がより好ましい。
Ｒ３としては、アルキル基が好ましく、直鎖アルキル基がより好ましい。
Ｒ４としては、水素原子又はヒドロキシ基が好ましい。
Ｒ５としては、分岐鎖アルキル基が好ましい。
【００２５】
前記式（１）で表される化合物のうち、市販品としてはイーストマンケミカル社製のテキサノール等が挙げられる。
【００２６】
前記式（１）で表される化合物の具体例を下記表１に挙げるが、これらの具体例に限定されない。また、表１中の略号等は、以下の意味を有する。
Ｐｈ：フェニル。
ｉ−Ｐｒ：イソプロピル。
ｎ−Ｐｒ：ノルマルプロピル。
ｔ−Ｂｕ：ターシャリーブチル。
Ｅｔ：エチル。
【００２７】
【表１】
2019196425.tif 000005
【００２８】
前記式（１）で表される化合物は、単一の化合物を使用することも、２種類以上を併用することもできる。
【００２９】
前記クリアインクの総質量中における、グリコールエーテルの総含有量と、式（１）で表される化合物の総含有量との比は、通常１０／１〜３０／１、好ましくは１５／１〜２０／１である。
【００３０】
［式（２）で表される化合物］
前記式（２）中、Ｒにおける炭化水素基としては、例えば、メチレン、エチレン、プロピレン、ブチレン、ペンチレンといった直鎖のアルキレン；１−メチル−１，４−ブタンジイル、２−メチル−１，４−ブタンジイル、３−メチル−１，４−ブタンジイル、４−メチル−１，４−ブタンジイル、１−メチル−１，３−プロパンジイル、２−メチル−１，３−プロパンジイル、３−メチル−１，３−プロパンジイル、１−メチル−１，２−エタンジイル、２−メチル−１，２−エタンジイル等が挙げられる。洗浄性能の高さの点では、Ｒの炭素数は通常Ｃ１−Ｃ５、好ましくはＣ２−Ｃ５、より好ましくはＣ３−Ｃ５、特に好ましくはＣ５である。また、洗浄性能の高さの点では、Ｒは分岐鎖が好ましい。
前記Ｌ、ｍ及びｎは、洗浄性能の高さの点では（Ｌ＋ｍ）／ｎが通常１．５／１〜１／１．５、好ましくは１．４／１〜１／１．５、より好ましくは１．４／１〜１／１．４、さらに好ましくは１．３／１〜１／１．３である。
また、式（１）で表される化合物の数平均分子量は通常１００〜５０００、好ましくは２００〜４０００、より好ましくは２５０〜３５００である。
式（１）で表される化合物は、公知の方法により合成することができる。また、市販品としても入手できる。市販品の具体例としては、例えば、ＥＶＯＮＩＣ社製のＴＥＧＯ  Ｗｅｔ  ５００、５０５、５１０等が挙げられる。
【００３１】
前記クリアインクは、例えば、有機溶剤、防腐剤、防黴剤、ｐＨ調整剤、キレート剤、防錆剤、水溶性紫外線吸収剤、酸化防止剤、及び界面活性剤等のインク調製剤を、必要に応じて含有することができる。調製剤の各種類は、いずれも1種類を使用することも、２種類以上を併用することもできる。
【００３２】
［有機溶剤］
有機溶剤としては、例えばメタノール、エタノール、プロパノール、イソプロパノール、ブタノール、イソブタノール、第二ブタノール又は第三ブタノール、等の、ヒドロキシ基を１つ有するＣ１−Ｃ６アルカノール；Ｎ，Ｎ−ジメチルホルムアミド又はＮ，Ｎ−ジメチルアセトアミド等のアミド類；２−ピロリドン、Ｎ−メチル−２−ピロリドン又はＮ−メチルピロリジン−２−オン等のラクタム；１，３−ジメチルイミダゾリジン−２−オン又は１，３−ジメチルヘキサヒドロピリミド−２−オン等の環式尿素；アセトン、２−メチル−２−ヒドロキシペンタン−４−オン、エチレンカーボネート等のケトン又はケトアルコール；テトラヒドロフラン、ジオキサン等の環状エーテル；エチレングリコール、プロピレングリコール、１，３−プロパンジオール、１，２−ブタンジオール、１，４−ブタンジオール、１，２−へキサンジオール、１，６−へキサンジオール、ジエチレングリコール、トリエチレングリコール、テトラエチレングリコール、ジプロピレングリコール、分子量が４００以上のポリエチレングリコール又はポリプロピレングリコール、チオジグリコール又はジチオジグリコール等の、Ｃ２−Ｃ６アルキレン単位を有するモノ、オリゴ又はポリアルキレングリコール又はチオグリコール；グリセリン、ジグリセリン、ヘキサン−１，２，６−トリオール、トリメチロールプロパン等のポリオール（トリオール）；γ−ブチロラクトン又はジメチルスルホキシド等が挙げられる。
【００３３】
防腐剤の例としては、例えば有機硫黄系、有機窒素硫黄系、有機ハロゲン系、ハロアリールスルホン系、ヨードプロパギル系、ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系又は無機塩系等の化合物が挙げられる。
また、アーチケミカル社製、プロクセル  ＧＸＬ（Ｓ）、プロクセル  ＸＬ−２（Ｓ）等も好ましい。
【００３４】
防黴剤の具体例としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。
【００３５】
ｐＨ調整剤としては、クリアインクに悪影響を及ぼさずに、そのｐＨを５〜１１程度に制御できるものであれば任意の物質を使用することができる。
その具体例としては、例えば、ジエタノールアミン、トリエタノールアミン、Ｎ−メチルジエタノールアミン等のモノ、ジ、若しくはトリ（Ｃ１−Ｃ４）アルカノールアミン、好ましくはトリ（Ｃ１−Ｃ４）アルカノールアミン；水酸化リチウム、水酸化ナトリウム、水酸化カリウム等のアルカリ金属の水酸化物；水酸化アンモニウム（アンモニア水）；炭酸リチウム、炭酸ナトリウム、炭酸水素ナトリウム、炭酸カリウム等のアルカリ金属の炭酸塩；酢酸カリウム等の有機酸のアルカリ金属塩；ケイ酸ナトリウム、リン酸二ナトリウム等の無機塩基；等が挙げられる。
【００３６】
キレート剤の具体例としては、例えばエチレンジアミン四酢酸二ナトリウム、ニトリロ三酢酸ナトリウム、ヒドロキシエチルエチレンジアミン三酢酸ナトリウム、ジエチレントリアミン五酢酸ナトリウム又はウラシル二酢酸ナトリウム等があげられる。
【００３７】
防錆剤の具体例としては、例えば、酸性亜硫酸塩、チオ硫酸ナトリウム、チオグリコール酸アンモニウム、ジイソプロピルアンモニウムナイトライト、四硝酸ペンタエリスリトール又はジシクロヘキシルアンモニウムナイトライト等があげられる。
【００３８】
水溶性紫外線吸収剤の例としては、例えばスルホ化されたベンゾフェノン系化合物、ベンゾトリアゾ−ル系化合物、サリチル酸系化合物、桂皮酸系化合物又はトリアジン系化合物が挙げられる。
【００３９】
酸化防止剤の例としては、例えば、各種の有機系及び金属錯体系の褪色防止剤を使用することができる。前記有機系の褪色防止剤の例としては、ハイドロキノン類、アルコキシフェノール類、ジアルコキシフェノール類、フェノール類、アニリン類、アミン類、インダン類、クロマン類、アルコキシアニリン類又は複素環類等が挙げられる。
【００４０】
界面活性剤としてはアニオン、カチオン、ノニオン、両性、シリコン系、フッ素系等の界面活性剤が挙げられる。
【００４１】
アニオン界面活性剤としてはアルキルスルホカルボン酸塩、α−オレフィンスルホン酸塩、ポリオキシエチレンアルキルエーテル酢酸塩、ポリオキシエチレンアルキルエーテル硫酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。アニオン界面活性剤は、例えば第一工業製薬株式会社等から、様々な種類の製品を容易に購入することができる。
【００４２】
カチオン界面活性剤としては２−ビニルピリジン誘導体、ポリ４−ビニルピリジン誘導体等が挙げられる。
【００４３】
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール、又はアセチレンアルコール系；ポリグリコールエーテル系；日信化学株式会社製のサーフィノールシリーズ（１０４、１０４ＰＧ５０、８２、４２０、４４０、４６５、４８５等）、オルフィンシリーズ（ＳＴＧ等）；花王株式会社製のエマルゲンシリーズ（Ａ−６０、Ａ−９０、Ａ−５００等）を挙げることができる。
【００４４】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００４５】
シリコン系界面活性剤としては、ポリエーテル変性シロキサン、ポリエーテル変性ポリジメチルシロキサン等が挙げられる。その一例としては、エアープロダクツ社製のダイノール９６０、ダイノール９８０、日信化学株式会社製のシルフェイスシリーズ（ＳＡＧ００１、ＳＡＧ００２、ＳＡＧ００３、ＳＡＧ００５、ＳＡＧ５０３Ａ、ＳＡＧ００８、ＳＡＧ００９、ＳＡＧ０１０等）；ビックケミー社製のＢＹＫシリーズ（３４５、３４７、３４８、３４９、３４５５、ＬＰ−Ｘ２３２８８、ＬＰ−Ｘ２３２８９、ＬＰ−Ｘ２３３４７）、Ｅｖｏｎｉｃ  Ｔｅｇｏ  Ｃｈｅｍｉｅ社製のＴＥＧＯシリーズ（Ｔｗｉｎ  ４０００、Ｗｅｔ  ＫＬ２４５、Ｗｅｔ  ２５０、Ｗｅｔ  ２６０、Ｗｅｔ  ２６５、Ｗｅｔ  ２７０、Ｗｅｔ  ２８０等）が挙げられる。
【００４６】
フッ素系界面活性剤としては、例えば、パーフルオロアルキルスルホン酸化合物、パーフルオロアルキルカルボン酸系化合物、パーフルオロアルキルリン酸エステル化合物、パーフルオロアルキルエチレンオキサイド付加物、及びパーフルオロアルキルエーテル基を側鎖に有するポリオキシアルキレンエーテルポリマー化合物等が挙げられる。フッ素系界面活性剤は、例えばＤｕＰｏｎｔ社、オムノバ社、ＤＩＣ株式会社、及びビックケミー社等から、様々な種類の製品を容易に購入することができる。
【００４７】
前記クリアインクは、水、グリコールエーテル、式（１）で表される化合物、及び式（２）で表される化合物を混合することにより、調製することができる。各成分を加える順番は特に制限されない。
このようにして得られたクリアインクは、必要に応じて精密濾過をして、固体状の不純物を濾別することができる。精密濾過をするときは、メンブランフィルター及び／又はガラス濾紙等を用いることができる。精密濾過を行うときのフィルター等の孔径は通常０．５μｍ〜２０μｍ、好ましくは０．５μｍ〜１０μｍである。
【００４８】
前記クリアインクのｐＨは、プリントヘッドを腐食させない目的で通常５〜１１、好ましくは７〜１０である。また、組成物の表面張力としては、１０〜５０ｍＮ／ｍが好ましく、２０〜４０ｍＮ／ｍがより好ましい。さらに、組成物の粘度としては、３０ｍＰａ・ｓ以下が好ましく、２０ｍＰａ・ｓ以下がより好ましい。
【００４９】
前記した全ての事項について、好ましいもの同士の組み合わせはより好ましく、より好ましいもの同士の組み合わせはさらに好ましい。好ましいものとより好ましいもの、より好ましいものとさらに好ましいものとの組み合わせ等についても同様である。
【００５０】
前記クリアインクは、各種の水系着色インクに対して使用することができる。水系着色インクとしては、例えば、水系染料インク、水系顔料インク等が好ましい。特に、水不溶性の着色剤を含有する、染料インク及び／又は顔料インク、特に水系顔料インクに用いることが好ましく、インクジェット記録に用いる水系顔料インクに対して好適に使用できる。
【実施例】
【００５１】
以下、本発明を実施例によって具体的に説明するが、本発明は、以下の実施例によって何ら限定されるものではない。また、各合成反応及び晶析等の操作は、特に断りのない限り、いずれも攪拌下に行った。
また、実施例中で使用した「水」は、イオン交換水である。
また、液中の顔料の含有量の測定が必要なときは、株式会社エイ・アンド・デイ社製、ＭＳ−７０を用いて、乾燥重量法により求めた。顔料の含有量は、全固形分からの換算値である。
【００５２】
［実施例１〜６、及び、比較例１〜５］：クリアインクの調製。
下記表２に記載の各成分を混合することによりクリアインクを得た後、３μｍのメンブランフィルターで濾過することにより、評価試験用の実施例、及び比較例の各クリアインクを得た。
【００５３】
下記表１中の略号等は、以下の意味を有する。
Ｇｌｙ＝グリセリン。
ＤＧＢＥ＝ジエチレングリコールモノブチルエーテル。
Ｔｅｘ＝テキサノール。
ＴＷ５００＝Ｔｅｇｏ  Ｗｅｔ  ５００。
ＴＷ５０５＝Ｔｅｇｏ  Ｗｅｔ  ５０５。
Ａ−９０＝エマルゲン  Ａ−９０。
【００５４】
【表２】
2019196425.tif 000006
【００５５】
［調製例１］：着色インクの調製。
（工程１）
国際公開第２０１３／１１５０７１号の合成例３に記載の「ブロック共重合体Ａ」を調製した。得られたブロック共重合体Ａ（６部）を、２−ブタノン（３０部）に溶解させて溶液を得た。この溶液に、２８％アンモニア水（０．６８部）を水（５３部）に溶解させた液を加え、１時間攪拌することにより乳化液を調製した。この乳化液にＣ．Ｉ．Ｐｉｇｍｅｎｔ  Ｂｌｕｅ  １５：３（２０部）を加え、１５００ｒｐｍの条件下で１５時間、サンドグラインダー中で分散処理を行って液を得た。得られた液に水（１００部）を滴下した後、ろ過して分散用ビーズを取り除き、濾液を得た。エバポレータを使用し、得られた濾液から２−ブタノン、及び、水の一部を減圧留去することにより、顔料の含有量が１１．６％の分散液１を得た。
【００５６】
（工程２）
前記のようにして得た分散液１と、下記表３に記載の各成分を混合することにより着色インクを得た後、３μｍのメンブランフィルターで濾過することにより、評価試験用の着色インク１を得た。得られた着色インク中の顔料含有量は、５％である。
【００５７】
下記表３中の略号等は、以下の意味を有する。
ＤＰ１＝分散液１。
ＤＧＢＥ＝ジエチレングリコールモノブチルエーテル。
ＢＹＫ−３４５＝ビックケミー社製のＢＹＫ−３４５。
ＡＰ−４７５０Ｎ＝昭和電工株式会社製のポリゾール  ＡＰ−４７５０Ｎ。
【００５８】
【表３】
2019196425.tif 000007
【００５９】
［洗浄性試験]
調製例１で得た着色インクを、ガラスシャーレ上に２０μｌ滴下し、４０℃の恒温槽に１時間静置することにより、シャーレに付着した固形物の状態の、固化した着色インクを得た。
この固化した着色インクに、実施例、及び比較例の各クリアインクを１０ｍｌ滴下し、固化した着色インクを洗浄できるか否かを評価した。評価基準は以下のとおりである。評価結果を下記表４に示す。
なお、比較例２及び４のクリアインクは、液状物質が層分離して、クリアインクの表層に浮いており、均一な溶液として得られなかった。このため、洗浄試験は実施していない。
［評価基準］
Ａ：クリアインクは着色し、シャーレに付着した固形物は確認できなかった。
Ｂ：クリアインクは着色したが、固形物が少し確認された。しかし、シャーレに付着した固形物は確認できなかった。
Ｃ：クリアインクは少し着色したが、多くの固形物が確認された。また、固形物の一部は、シャーレに付着したままの状態であった。
Ｄ：クリアインクは着色せず、シャーレに付着した固形物の状態に変化は無かった。
【００６０】
【表４】
2019196425.tif 000008
【００６１】
前記の結果から明らかなように、実施例のインクは比較例のインクと比較して、洗浄性に優れる。
【産業上の利用可能性】
【００６２】
本発明のクリアインクは、着色インク、特には水不溶性の着色剤を含有する水性インクが固化して固形物を生じたときでも、その固形物を容易に洗浄できる。このため、着色インクの洗浄液等として、極めて有用である。